(57)【特許請求の範囲】
【請求項１】
外周側にコイルが取り付けられており、内周側にレンズを保持するレンズホルダと、
前記レンズホルダの外周側に配置されており、光軸方向からみて略矩形の額縁形状を有するベース枠部を有しており、当該ベース枠部の光軸入射側の４隅にマグネットが位置するベースと、
前記レンズホルダおよび前記ベースに対して光軸方向出射側に配置されており、前記レンズホルダと前記ベースとを相対移動可能に連結するスプリングと、
前記スプリングの光軸方向出射側に配置されており、前記ベースに接続される接続部を有するボトムキャップと、を有し、
前記スプリングは、前記レンズホルダに取り付けられる内周側取付部と、前記ベースに取り付けられる外周側取付部と、前記内周側取付部と前記外周側取付部とを連結するように一体に形成されて光軸方向に弾性変形可能な連結部と、を有し、
前記レンズホルダは、光軸方向出射側に向かって突出しており、前記内周側取付部がカシメ止めされるホルダ凸部を有し、
前記ベースは、当該ベースの４隅に位置しており、前記ベース枠部から光軸方向出射側に向かって突出しており、前記外周側取付部および前記接続部がカシメ止めされるベース凸部を有することを特徴とするレンズ保持装置。
【請求項２】
前記ボトムキャップは、前記レンズホルダを光軸方向入射側に向かって押す接触面を有することを特徴とする請求項１に記載のレンズ保持装置。
【請求項３】
前記レンズホルダは、光軸方向でみて前記ベースの４隅に対応するように配置される４つの前記ホルダ凸部を有することを特徴とする請求項１又は請求項２に記載のレンズ保持装置。
【請求項４】
前記マグネットの磁束を集束させるヨークを有し、
前記ヨークは、光軸方向入射側に向かって突出するように前記ベースの４隅に形成されたベース柱部と前記マグネットとの間を通過するリング状の枠部を、有することを特徴とする請求項１〜請求項３までのいずれかに記載のレンズ保持装置。
【発明の詳細な説明】
【技術分野】
【０００１】
本発明は、たとえば携帯電話のカメラモジュールなどに好適に用いられるレンズ保持装置に関する。
【背景技術】
【０００２】
携帯電話のカメラモジュール等に好適に用いられるレンズ保持装置では、略矩形形状のベースに、レンズ保持装置を構成する各部品を配置するものが知られている（特許文献１参照）。
【０００３】
近年、携帯電話の小型化と、これに搭載されるカメラモジュールの高性能化に伴い、より径の大きいレンズをコンパクトに収納できるレンズ保持装置が求められている。
【先行技術文献】
【特許文献】
【０００４】
【特許文献１】特開２００４−２８００３１号公報
【発明の概要】
【発明が解決しようとする課題】
【０００５】
本発明は、このような実状に鑑みてなされ、その目的は、小型化に適したレンズ保持装置を提供することである。
【課題を解決するための手段】
【０００６】
上記目的を達成するために、本発明に係るレンズ保持装置は、
外周側にコイルが取り付けられており、内周側にレンズを保持するレンズホルダと、
前記レンズホルダの外周側に配置されており、光軸方向からみて略矩形の額縁形状を有しており、４隅にマグネットが位置するベースと、
前記レンズホルダおよび前記ベースに対して光軸方向出射側に配置されており、前記レンズホルダと前記ベースとを相対移動可能に連結するスプリングと、
前記スプリングの光軸方向出射側に配置されており、前記ベースに接続される接続部を有するボトムキャップと、を有し、
前記スプリングは、前記レンズホルダに取り付けられる内周側取付部と、前記ベースに取り付けられる外周側取付部と、前記内周側取付部と前記外周側取付部とを連結するように一体に形成されて光軸方向に弾性変形可能な連結部と、を有し、
前記レンズホルダは、光軸方向出射側に向かって突出しており、前記内周取付部がカシメ止めされるホルダ凸部を有し、
前記ベースは、当該ベースの４隅に位置しており、光軸方向出射側に向かって突出しており、前記外周側取付部および前記接続部がカシメ止めされるベース凸部を有する。
【０００７】
本発明に係るレンズ保持装置では、スプリングがカシメ止めされるベース凸部およびホルダ凸部が、光軸方向出射側に向かって突出しているため、スプリングは、ベースおよびレンズホルダに対して光軸方向出射側からカシメ止めされる。したがって、本発明に係るレンズ保持装置は、コイルに対向するように配置するマグネットを、ベースの４隅に配置することができる。もし、ベースの４隅に、光軸方向入射側に突出する突起が形成されている場合は、当該突起が邪魔になり、マグネットをベースの４隅に配置することが難しい。また、突起を避けつつ、マグネットをベースの４隅に配置しようとすると、レンズ保持装置の光軸方向の長さが大きくなってしまう。
【０００８】
しかし、本発明に係るレンズ保持装置は、スプリングを光軸方向出射側からカシメ止めしているため、マグネットを、ベースの４隅にコンパクトに配置することができる。これにより、本発明に係るレンズ保持装置は、マグネット、ベース凸部および外周側取付部を、これらが光軸方向からみてベースの４隅に集中するように、配置できる。マグネット等をベースの４隅に集中させて配置することにより、本発明に係るレンズ保持装置は、全体の大きさをコンパクトに保ちつつ、レンズホルダに保持されるレンズの径を大きくすることができる。
【０００９】
また、Ｂスプリングは、熱カシメによってベースおよびレンズホルダに取り付けられるため、本発明に係るレンズ保持装置は、組み立て作業性に優れている。さらに、ベース凸部には、外周側取付部と接続部の両方がまとめてカシメ止めされるため、本発明に係るレンズ保持装置は、組立に要する工程が少ない。
【００１０】
また、例えば、前記ボトムキャップは、前記レンズホルダを光軸方向入射側に向かって押す接触面を有していても良い。
【００１１】
このような接触面を有するレンズ保持装置では、コイルが通電されていない状態において、レンズホルダが、スプリングによって、ボトムキャップに向かって押し付けられる。したがって、このような接触面を有するレンズ保持装置は、通電していない状態において、レンズホルダ等が外部からの衝撃等によって移動して、周辺の部材と衝突し、破損することを防止できる。
【００１２】
また、例えば、前記レンズホルダは、光軸方向でみて前記ベースの４隅に対応するように配置される４つの前記ホルダ凸部を有していてもよい。ホルダ凸部を、ベースの４隅に対応するように配置することによって、レンズ保持装置は、全体の大きさをコンパクトに保ちつつ、レンズホルダに保持されるレンズの径をさらに大きくすることができる。
【００１３】
また、例えば、本発明に係るレンズ保持装置は、
前記マグネットの磁束を集束させるヨークを有してもよく、
前記ヨークは、光軸方向入射側に向かって突出するように前記ベースの４隅に形成された柱部と、前記マグネットとの間を通過するリング状の枠部を有していても良い。
【００１４】
このようなヨークを有するレンズ保持装置は、全体をコンパクトに保ちつつ、コイルを通過する磁束密度を向上させることができるため、小型化に適している。
【図面の簡単な説明】
【００１５】
【図１】図１は本発明の一実施形態に係るレンズ保持装置の斜視図である。
【図２】図２は図１に示すレンズ保持装置の分解斜視図である。
【図３】図３は、図１に示すレンズ保持装置に含まれるレンズホルダの光軸方向入射側の構造を示す斜視図である。
【図４】図４は、図１に示すレンズ保持装置に含まれるレンズホルダの光軸方向出射側の構造を示す斜視図である。
【図５】図５は、図１に示すレンズ保持装置に含まれるボトムキャップの構造を示す斜視図である。
【図６】図６は、図１に示すレンズ保持装置に含まれるベースの光軸方向入射側の構造を示す斜視図である。
【図７】図７は、図１に示すレンズ保持装置に含まれるベースの光軸方向出射側の構造を示す斜視図である。
【図８】図８は、図１に示すレンズ保持装置に含まれるＢスプリングの平面図である。
【図９】図９は、図１に示すレンズ保持装置の模式断面図である。
【発明を実施するための形態】
【００１６】
以下、本発明を、図面に示す実施形態に基づき説明する。図１は、本発明の一実施形態に係るレンズ保持装置１０の斜視図である。本実施形態に係るレンズ保持装置１０の外形状は、略直方体である。レンズ保持装置１０は、レンズホルダ３０を含む。レンズホルダ３０は、無底の筒状の外形状を有しており、内周側に、図示省略してある光学レンズを保持する。
【００１７】
レンズ保持装置１０は、光学レンズの光軸Ｚ方向に、光を通過させる。すなわち、レンズ保持装置１０は、光軸Ｚに沿って、フロントキャップ８０側から入射した光を、ボトムキャップ１２側から出射する。例えばレンズ保持装置１０がカメラモジュール等に用いられる場合には、レンズ保持装置１０から出射された光は、不図示の撮像素子に入射される。本実施形態に係るレンズ保持装置１０の説明においては、光軸Ｚ方向に沿ってボトムキャップ１２側を光軸方向出射側、光軸Ｚ方向に沿ってフロントキャップ８０側を光軸方向入射側とする。
【００１８】
図２は、図１に示すレンズ保持装置１０の分解斜視図である。レンズ保持装置１０は、ボトムキャップ１２、Ｂスプリング２０、レンズホルダ３０、ベース４８を含む。また、レンズ保持装置１０は、コイル４０、マグネット５８、ヨーク６２、Ｆスプリング７０、フロントキャップ８０等をさらに含む。
【００１９】
レンズホルダ３０は、Ｆスプリング７０とＢスプリング２０によって、ベース４８およびベース４８に固定される他の部材に対して、光軸Ｚ方向に沿って相対移動自在に保持される。図３は、レンズホルダ３０の光軸方向入射側の構造を示す斜視図であり、図４は、レンズホルダ３０の光軸方向出射側の構造を示す斜視図である。レンズホルダ３０の光軸方向入射側の端部には、入射側スプリング配置面３２が形成されている。入射側スプリング配置面３２には、図２に示すＦスプリング７０の内周側取付部Ｆ７４（図２）が取り付けられる。
【００２０】
図４に示すように、レンズホルダ３０の光軸方向出射側の端部には、出射側スプリング配置面３４が形成されている。出射側スプリング配置面３４には、図２に示すＢスプリング２０の内周側取付部Ｂ２４（図８）が設置される。すなわち、レンズホルダ３０は、４つのホルダ凸部３６を有する。ホルダ凸部３６は、出射側スプリング配置面３４から、光軸方向出射側に向かって突出している。Ｂスプリング２０の内周側取付部Ｂ２４（図８）は、ホルダ凸部３６にカシメ止めされる。
【００２１】
レンズホルダ３０の外周側にはコイル設置面３８が形成されている。コイル設置面３８には、図２に示すコイル４０が取り付けられる。コイル４０には、不図示の駆動回路から、Ｂスプリング２０を介して電流が供給される。また、図２に示すように、コイル４０の周辺には、マグネット５８が配置されている。そのため、レンズ保持装置１０は、コイル４０を流れる電流を制御することによって、レンズホルダ３０を光軸Ｚ方向に沿って移動させるための駆動力を発生させることができる。
【００２２】
図１に示すように、ベース４８は、レンズホルダ３０の外周側に配置されている。図６は、ベース４８の光軸方向入射側の構造を示す斜視図であり、図７は、ベース４８の光軸方向出射側の構造を示す斜視図である。図６および図７に示すように、ベース４８は、光軸Ｚ方向からみて略矩形の額縁形状を有している。本実施形態に係るベース４８は、額縁形状のベース枠部５０と、４つの柱部５２と、４つのベース凸部５４を有する。
【００２３】
ベース枠部５０は、光軸方向入射側の表面であるベース枠部入射側面５０ａと、光軸方向出射側の表面であるベース枠部出射側面５０ｂとを有する。図６に示すように、柱部５２は、ベース４８の４隅に形成されている。柱部５２は、ベース枠部入射側面５０ａから、光軸方向入射側に向かって突出するように形成されている。
【００２４】
また、ベース４８の４隅には、図２に示すマグネット５８が位置する。本実施形態において、４つのマグネット５８は、ヨーク６２におけるヨーク外枠部６４の内周側に固定されている。ただし、マグネット５８を固定する部材は特に限定されず、例えば、マグネット５８は、ベース４８のベース枠部入射側面５０ａ（図６）に固定されてもよい。本実施形態において、４つのマグネット５８（図２）は、ヨーク６２の４隅に固定されることによって、図６に示すベース４８の４隅に対応する位置であって、ベース枠部５０の光軸方向入射側に配置される。すなわち、４つのマグネット５８は、ベース４８における４つの各柱部５２（図６）に隣接するように配置される。また、マグネット５８は、柱部５２より光軸Ｚ寄り（内周側）に配置される。
【００２５】
図７に示すように、ベース凸部５４は、ベース４８の４隅に形成されている。ベース凸部５４は、ベース枠部出射側面５０ｂから、光軸方向出射側に向かって突出するように形成されている。また、ベース凸部５４には、Ｂスプリング２０の外周側取付部Ｂ２２（図８）と、ボトムキャップ１２の接続部１４（図５）がカシメ止めされる。
【００２６】
図２に示すように、レンズホルダ３０およびベース４８に対して光軸方向出射側には、Ｂスプリング２０が配置される。Ｂスプリング２０は、レンズホルダ３０と、ベース４８とを相対移動可能に連結する。
【００２７】
図８は、図２に示すＢスプリング２０の平面図である。本実施形態に係るＢスプリング２０は、電気的に互いに絶縁されている２つの部分によって構成されている。電気的に絶縁されている一方の部分２０ａは、レンズホルダ３０に固定されるコイル４０の一方の端部に電気的に接続される。それに対して、Ｂスプリング２０のうち、他方の一方２０ｂは、コイル４０の他方の端部に電気的に接続される。
【００２８】
Ｂスプリング２０は、４つの内周側取付部Ｂ２４と、４つの外周側取付部Ｂ２２と、４つの連結部Ｂ２６とを有する。４つの内周側取付部Ｂ２４には貫通孔が形成されている。内周側取付部Ｂ２４は、ホルダ凸部３６（図４）にカシメ止めされることによって、レンズホルダ３０に取り付けられる。したがって、Ｂスプリング２０の内周側取付部Ｂ２４は、レンズホルダ３０の出射側スプリング配置面３４（図４）に配置される。
【００２９】
Ｂスプリング２０における４つの外周側取付部Ｂ２２には、貫通孔が形成されている。外周側取付部Ｂ２２は、ベース凸部５４（図７）にカシメ止めされることによって、ベース４８に取り付けられる。したがって、Ｂスプリング２０の外周側取付部Ｂ２２は、ベース枠部５０のベース枠部出射側面５０ｂに設置される。なお、外周側取付部Ｂ２２は、ボトムキャップ１２の接続部１４と共に、ベース凸部５４（図７）にカシメ止めされる。
【００３０】
Ｂスプリング２０における４つの連結部Ｂ２６は、外周側取付部Ｂ２２および内周側取付部Ｂ２４と一体に形成されており、外周側取付部Ｂ２２と内周側取付部Ｂ２４とを連結する。連結部Ｂ２６は、外周側取付部Ｂ２２と内周側取付部Ｂ２４との間を蛇行する形状を有しており、光軸方向に弾性変形可能である。連結部Ｂ２６が光軸方向に弾性変形するため、Ｂスプリング２０は、レンズホルダ３０と、ベース４８とを相対移動可能に連結できる。なお連結部Ｂ２６は、図８に示すように、２つの連結部Ｂ２６が互いに接続されていてもよく、互いに接続されている２つの連結部Ｂ２６同士は、略対称な形状を有していても良い。連結部Ｂ２６を図８に示すような形状とすることによって、レンズホルダ３０の回転を防止することができる。
【００３１】
外周側取付部Ｂ２２は、ベース凸部５４にカシメ止めされるため、光軸方向でみてベース４８の４隅に対応するように配置される。また、本実施形態において、内周側取付部Ｂ２４は、外周側取付部Ｂ２２より内周側の位置であって、外周側取付部Ｂ２２に近接する位置に配置されている。したがって、内周側取付部Ｂ２４がカシメ止めされるホルダ凸部３６（図４）も、外周側取付部Ｂ２２と同様に、光軸方向でみてベース４８の４隅に対応するように配置される。
【００３２】
図２に示すように、Ｂスプリング２０の光軸方向出射側には、ボトムキャップ１２が配置される。図５は、図２に示すボトムキャップ１２の拡大斜視図である。ボトムキャップ１２は、ベース４８に接続される接続部１４を有する。接続部１４は、ボトムキャップ１２の４隅に形成されており、接続部１４には貫通孔が形成されている。
【００３３】
接続部１４は、外周側取付部Ｂ２２（図８）と共に、ベース４８のベース凸部５４にカシメ止めされる。ベース４８に、Ｂスプリング２０およびボトムキャップ１２を取り付ける際、ベース凸部５４には、外周側取付部Ｂ２２の貫通孔が挿通された後、接続部１４の貫通孔が挿通される。
【００３４】
図５に示すように、ボトムキャップ１２は、光軸方向入射側の端面である接触面１６を有する。接触面１６は、コイル４０が非通電状態である時に、レンズホルダ３０の一部と接触し、レンズホルダ３０を光軸方向入射側に向かって押している。
【００３５】
ここで、図８に示すように、本実施形態に係るＢスプリング２０において、内周側取付部Ｂ２４と外周側取付部Ｂ２２とは、無負荷状態において同一平面内に位置する。しかし、ボトムキャップ１２の接触面１６は、レンズホルダ３０に固定された内周側取付部Ｂ２４が、ベース４８に固定された外周側取付部Ｂ２２より、光軸方向入射側に位置するように、レンズホルダ３０を押している。言い換えると、コイル４０が非通電状態である時、レンズホルダ３０は、Ｂスプリング２０の弾性力によって、ボトムキャップ１２に押し付けられた状態となっている。
【００３６】
図２に示すように、ベース４８に対して光軸方向入射側には、マグネット５８の磁束を集束させるヨーク６２が配置されている。ヨーク６２は、１つのヨーク外枠部６４と、４つのヨーク腕部６６によって構成される。
【００３７】
ヨーク外枠部６４は、光軸方向からみると略矩形であるリング状の形状を有する。ヨーク腕部６６は、ヨーク外枠部６４の４隅に、ヨーク外枠部６４から内周側に突出するように形成されている。図９は、図１に示すレンズ保持装置１０を、ベース４８の４隅を通過する断面によって観察した模式断面図であり、ベース４８、マグネット５８およびコイル４０に対するヨーク６２の配置を表している。図９に示すように、ヨーク外枠部６４は、ベース４８の柱部５２とマグネット５８の間を通過する。ヨーク腕部６６は、ヨーク外枠部６４からＬ字状に伸びており、ヨーク外枠部６４との間に、マグネット５８およびコイル４０を挟むように配置される。なお、ヨーク６２は、ヨーク外枠部６４の４隅が、光軸方向でみてベース４８の４隅に対応するように配置される。
【００３８】
図１および図２に示すように、レンズホルダ３０およびヨーク６２の光軸入射側には、Ｆスプリング７０が配置される。Ｆスプリング７０は、レンズホルダ３０と、ベース４８に固定されたヨーク６２またはフロントキャップ８０とを、相対移動可能に連結する。
【００３９】
Ｆスプリング７０は、内周側取付部Ｆ７４と、外周側取付部Ｆ７２と、連結部Ｆ７６とを有する。外周側取付部Ｆ７２は、ヨーク６２またはフロントキャップ８０に対して、接着等によって固定される。内周側取付部Ｆ７４は、レンズホルダ３０の入射側スプリング配置面３２に、接着等によって固定される。連結部Ｆ７６は、Ｂスプリング２０における連結部Ｂ２６と同様に、外周側取付部Ｆ７２と内周側取付部Ｆ７４との間を蛇行する形状を有しており、光軸方向に弾性変形可能である。なお、Ｆスプリング７０のレンズホルダ３０またはヨーク６２に対する固定方法は、接着に限られず、例えばＢスプリング２０と同様に、熱カシメ等の方法を用いても良い。
【００４０】
図１または図２に示すように、Ｆスプリング７０の光軸方向入射側には、フロントキャップ８０が取り付けられる。図１に示すように、フロントキャップ８０は、ベース４８と同様に、光軸方向からみて略矩形の額縁形状を有しており、フロントキャップ８０の４隅には、光軸方向出射側に伸びる突起が形成されている。フロントキャップ８０は、Ｆスプリング７０を間に挟み込んだ状態で、ヨーク６２に対して接着等により固定される。
【００４１】
また、フロントキャップ８０の４隅には、注入孔８２が形成されている。Ｆスプリング７０の外周側取付部Ｆ７２は、フロントキャップ８０がベース４８に対して固定された後に、注入孔８２から接着剤を注入することによって、ヨーク６２またはフロントキャップ８０に対して固定される。
【００４２】
図２に示す各部品のうち、ボトムキャップ１２、レンズホルダ３０、ベース４８およびフロントキャップ８０は、液晶ポリマー、ＰＰＳ、ＰＰＥ、ＰＢＴ、ＰＣ、ＡＢＳ、ＰＯＭなどの熱可塑性樹脂で構成され、たとえば射出成形により成形される。また、Ｂスプリング２０およびＦスプリング７０は、たとえば厚み２０〜１００μｍのスプリング金属板をエッチング加工して形成されるが、弾力性を有するセラミック板、耐熱性合成樹脂板などで構成されてもよい。また、Ｂスプリング２０は、導電性に優れた金属材料で構成されることが好ましく、これにより、Ｂスプリング２０は、コイル４０に対する電気的接続を図るための配線を兼ねることができる。ヨーク６２の材料は、特に限定されないが、鉄、ステンレス等の磁性材料によって構成される。
【００４３】
図９は、図１に示すレンズ保持装置１０の模式断面図である。図９は、図１に示すレンズ保持装置１０を、光軸Ｚを含みかつベース４８における対向する２つの隅部を通過する断面によって、観察したものである。ただし、図９は模式図であり、各部材の詳細部分については、形状を簡略化して表している。
【００４４】
図９に示すように、本実施形態に係るレンズ保持装置１０では、Ｂスプリング２０がカシメ止めされるベース凸部５４およびホルダ凸部３６が、ベース４８の４隅に対応する位置に配置されている。光学レンズ８６は略円筒形状であり、レンズ保持装置１０は略直方体形状であるため、ベース凸部５４やホルダ凸部３６を、ベース４８の４隅に対応する位置に配置することによって、レンズ保持装置１０を小型化することができる。
【００４５】
また、ベース凸部５４およびホルダ凸部３６は、光軸方向出射側に突出している。そのため、Ｂスプリング２０は、ベース４８およびレンズホルダ３０に対して、光軸方向出射側からカシメ止めされる。したがってレンズ保持装置１０は、コイル４０に対向するように配置するマグネット５８を、ベース４８の４隅に配置することができる。
【００４６】
言い換えると、レンズホルダ３０およびベース４８は、Ｂスプリング２０の取り付け構造を、光軸方向出射側の表面に設けたため、ベース枠部５０の光軸方向入射側の表面であるベース枠部入射側面５０ａには、マグネット５８の配置を邪魔する突起等がない。したがって、本実施形態に係るレンズ保持装置１０は、ベース４８とレンズホルダ３０の連結構造である外周側取付部Ｂ２２、内周側取付部Ｂ２４および連結部Ｂ２６だけでなく、マグネット５８も、ベース４８の４隅にコンパクトに配置することができる。また、マグネット５８をベース４８の４隅に配置しても、レンズ保持装置１０全体の光軸Ｚ方向の長さを長くしないで済む。
【００４７】
このように、レンズ保持装置１０は、ベース４８とレンズホルダ３０の連結構造やマグネット５８が、光軸方向からみてベース４８の４隅に集中するように配置されるため、全体の大きさをコンパクトに保ちつつ、レンズホルダ３０に保持される光学レンズ８６の径を大きくすることができる。また、本発明に係るレンズ保持装置１０は、レンズホルダ３０に保持される光学レンズ８６の径が大きい場合であっても、ベース４８の４隅を結ぶ辺の部分に、マグネット５８等を配置する必要がないため、ベース４８の各辺の長さを短くすることができ、小型化に適している。なお、レンズ保持装置１０では、外周側取付部Ｂ２２、内周側取付部Ｂ２４または連結部Ｂ２６のいずれか一つと、マグネット５８とが、光軸方向でみて、互いに重なるように配置されていることが、小型化の観点から好ましい。
【００４８】
また、Ｂスプリング２０は、熱カシメによってベース４８およびレンズホルダ３０に取り付けられるため、レンズ保持装置１０は、組み立て作業性に優れている。Ｂスプリング２０は、レンズホルダ３０に熱カシメによって取り付けられるため、レンズホルダ３０の出射側スプリング配置面３４を狭くすることが可能である。これにより、レンズホルダ３０には、光軸方向出射側に開く切り欠きを形成することが可能となり、レンズホルダ３０を軽量化することができる。
【００４９】
さらに、ベース凸部５４には、Ｂスプリング２０の外周側取付部Ｂ２２と、ボトムキャップ１２の接続部１４の両方が、まとめてカシメ止めされるため、レンズ保持装置１０は、組立に要する工程が少ない。特に、本実施形態に係るレンズ保持装置１０において、ボトムキャップ１２は、レンズホルダ３０を光軸方向入射側に向かって押す接触面１６を有している。このような接触面１６を有するレンズ保持装置１０は、コイル４０が通電されていない状態において、レンズホルダ３０が、Ｂスプリング２０によって、ボトムキャップ１２に向かって押し付けられる。したがって、レンズ保持装置１０は、通電していない状態において、レンズホルダ３０等が外部からの衝撃等によって移動して、周辺の部材と衝突し、破損することを防止できる。また、レンズ保持装置１０は、このような構造を、Ｂスプリング２０の外周側取付部Ｂ２２と、ボトムキャップ１２の接続部１４の両方をベース凸部５４にまとめてカシメ止めするだけで実現することが可能であり、組み立て作業性に優れている。
【００５０】
また、レンズホルダ３０は、光軸Ｚ方向の両側から、Ｂスプリング２０とＦスプリング７０によって挟まれている。レンズホルダ３０は、Ｂスプリング２０とＦスプリング７０によって挟持されているため、外部からの衝撃や振動による光軸Ｚの傾きや、予期しない変位の発生を効果的に防止できる。なお、Ｆスプリング７０は、Ｂスプリング２０と同様に、レンズホルダ３０をボトムキャップ１２に向かって付勢する力を発生させるように、周辺部材に対して固定されていることが好ましい。これにより、レンズ保持装置１０は、外部からの衝撃や振動による影響を抑制し、レンズホルダ３０のより正確な位置制御を実現することができる。
【００５１】
また、図２および図９に示すように、ヨーク６２は、リング状のヨーク外枠部６４を有している。ヨーク腕部６６は、ヨーク外枠部６４によって連結されており、ヨーク６２は１つの部材で構成されるため、レンズ保持装置１０は、組立性に優れている。また、ヨーク外枠部６４は、ベース４８の４隅において、柱部５２とマグネット５８との間を通過するとともに、ベース４８の辺の部分においては、ベース４８の辺に対して径方向に重ならない（図１）。したがって、図１に示すようなヨーク６２を有するレンズ保持装置１０は、組立性に優れており、かつ、小型化に適している。
【００５２】
その他の実施形態
上述のレンズ保持装置１０において、Ｆスプリング７０は、レンズホルダ３０、ヨーク６２またはフロントキャップ８０に対して、接着によって固定されているが、Ｆスプリング７０の固定方法はこれに限定されない。例えば、Ｆスプリング７０は、Ｂスプリング２０と同様に、レンズホルダ３０およびベース４８に対して、熱カシメによって固定されてもよい。さらに、Ｆスプリング７０が、レンズホルダ３０およびベース４８に対して熱カシメによって固定される場合、Ｆスプリング７０のレンズホルダ３０およびベース４８に対する固定構造は、光軸方向でみて、ベース４８の４隅に対応するように配置されることが好ましい。
【符号の説明】
【００５３】
１０…  レンズ保持装置
１２…  ボトムキャップ
１４…  接続部
１６…  接触面
２０…  Ｂスプリング
２２…  外周側取付部Ｂ
２４…  内周側取付部Ｂ
２６…  連結部Ｂ
３０…  レンズホルダ
３６…  ホルダ凸部
４０…  コイル
４８…  ベース
５０…  ベース枠部
５２…  柱部
５４…  ベース凸部
５６…  マグネット設置面
５８…  マグネット
６２…  ヨーク
６４…  ヨーク外枠部
７０…  Ｆスプリング
８０…  フロントキャップ
８６…  光学レンズ
【図１】
0005471412.tif 000002
【図２】
0005471412.tif 000003
【図３】
0005471412.tif 000004
【図４】
0005471412.tif 000005
【図５】
0005471412.tif 000006
【図６】
0005471412.tif 000007
【図７】
0005471412.tif 000008
【図８】
0005471412.tif 000009
【図９】
0005471412.tif 000010